(57)【要約】【課題】リード線を外部に引き回す時に、リード線が傷付く事を防止した、液晶表示装置を提供する。【解決手段】液晶セル３と、液晶セル３の下方に配置された導光板８と、液晶セル３および導光板８を支持する枠体１０と、枠体１０の底面を支持する底板３５と、導光板８の側面に沿って配置された線状光源２５と、線状光源２５の電極に接続されたリード線２９とを備え、枠体１０は底面近傍において、側面方向および下方向に開放した溝３４が形成され、底板３５は溝３４の下方向の開放部を閉じる様に、外向きに折返し部５１が形成され、リード線２９は、折返し部５１上の溝３４の中を通り、外部に引出される。【選択図】図５
2006250987.tif 000002
【特許請求の範囲】
【請求項１】
液晶セルと、前記液晶セルの下方に配置された導光板と、前記液晶セルおよび前記導光板を支持する枠体と、前記枠体の底面を支持する底板と、前記導光板の側面に沿って配置された線状光源と、前記線状光源の電極に接続されたリード線とを備え、前記枠体は底面近傍において、側面方向および下方向に開放した溝が形成され、前記底板は前記溝の下方向の開放部を閉じる様に、外向きに折返し部が形成され、前記リード線は、前記折返し部上の前記溝の中を通り、外部に引出される事を特徴とする液晶表示装置。
【請求項２】
前記底板において、前記折返し部の上方に位置する水平部の内面と、前記折返し部の内面は当接する様に形成された事を特徴とする請求項１の液晶表示装置。
【請求項３】
前記底板において、最下部に位置する底部が形成され、前記水平部は、前記底部よりも高い位置になる様に形成され、前記折返し部の底面は、前記底部の底面よりも高い位置になる様に形成された事を特徴とする請求項１の液晶表示装置。
【請求項４】
前記溝の近傍に位置する前記枠体の底面において、前記折返し部の両端に当接し又は近接する様に、下方向に延びる第１突起部および第２突起部が形成された事を特徴とする請求項１の液晶表示装置。
【請求項５】
前記リード線は、前記溝から遠い位置に配置された前記線状光源の第１電極に接続される第１リード線と、前記溝から近い位置に配置された前記線状光源の第２電極に接続される第２リード線とにより構成され、前記枠体において、上方に開放した窪み部内に、前記第１リード線が挿入された事を特徴とする請求項１の液晶表示装置。
【発明の詳細な説明】
【技術分野】
【０００１】
本発明は液晶表示装置に関する。
【背景技術】
【０００２】
従来、この種の装置は例えば、下記特許文献１に示されている。この特許文献１の図３と図５と第５欄によると、第１および第２リード線７ａ，７ｂの基部は、熱収縮性のチューブ２４ａ，２４ｂにより被覆されている。
【特許文献１】特開２００１−１２６５２４号公報
【発明の開示】
【発明が解決しようとする課題】
【０００３】
上記装置の様に、熱収縮性のチューブ２４ａ，２４ｂを被覆したのは、板金製ランプハウス６のエッジにより、第１および第２リード線７ａ，７ｂが傷つく事を防止するためである。
【０００４】
しかし、チューブ２４ａ，２４ｂを加熱しながら、熱収縮性のチューブ２４ａ，２４ｂを被覆するので、手間がかかり、作業性が悪い、欠点がある。本発明はこの様な従来の欠点を考慮し、リード線を外部に引き回す時に、リード線が傷つく事を防止し、かつ、作業性が良い液晶表示装置を提供する。
【課題を解決するための手段】
【０００５】
前記課題を解決するために、請求項１の本発明では、液晶セルと、前記液晶セルの下方に配置された導光板と、前記液晶セルおよび前記導光板を支持する枠体と、前記枠体の底面を支持する底板と、前記導光板の側面に沿って配置された線状光源と、前記線状光源の電極に接続されたリード線とを備え、前記枠体は底面近傍において、側面方向および下方向に開放した溝が形成され、前記底板は前記溝の下方向の開放部を閉じる様に、外向きに折返し部が形成され、前記リード線は、前記折返し部上の前記溝の中を通り、外部に引出される。
【０００６】
請求項２の本発明では、前記底板において、前記折返し部の上方に位置する水平部の内面と、前記折返し部の内面は当接する様に形成された。
【０００７】
請求項３の本発明では、前記底板において、最下部に位置する底部が形成され、前記水平部は、前記底部よりも高い位置になる様に形成され、前記折返し部の底面は、前記底部の底面よりも高い位置になる様に形成された。
【０００８】
請求項４の本発明では、前記溝の近傍に位置する前記枠体の底面において、前記折返し部の両端に当接し又は近接する様に、下方向に延びる第１突起部および第２突起部が形成された。
【０００９】
請求項５の本発明では、前記リード線は、前記溝から遠い位置に配置された前記線状光源の第１電極に接続される第１リード線と、前記溝から近い位置に配置された前記線状光源の第２電極に接続される第２リード線とにより構成され、前記枠体において、上方に開放した窪み部内に、前記第１リード線が挿入された。
【発明の効果】
【００１０】
請求項１の本発明では、液晶セルと、液晶セルの下方に配置された導光板と、液晶セルおよび導光板を支持する枠体と、枠体の底面を支持する底板と、導光板の側面に沿って配置された線状光源と、線状光源の電極に接続されたリード線とを備え、枠体は底面近傍において、側面方向および下方向に開放した溝が形成され、底板は溝の下方向の開放部を閉じる様に、外向きに折返し部が形成され、リード線は、折返し部上の前記溝の中を通り、外部に引出される。この様に、リード線は、外向きに折り返えされた折返し部の上に位置する、枠体に形成された溝の中に配置されるので、リード線は、折返し部により傷つけられる事は無い。また、リード線に熱収縮性チューブを被覆する手間が要らない。
【００１１】
請求項２の本発明では、底板において、折返し部の上方に位置する水平部の内面と、折返し部の内面は当接する様に形成された。この様に、折返し部の上方に位置する底板の水平部と、折返し部は当接するので、タタキ加工等により、機械加工し易い。
【００１２】
請求項３の本発明では、底板において、最下部に位置する底部が形成され、水平部は、底部よりも高い位置になる様に形成され、折返し部の底面は、底部の底面よりも高い位置になる様に形成された。その結果、製品の厚さＧ（図５を参照）を、従来品よりも厚くする事を避けられる。
【００１３】
請求項４の本発明では、溝の近傍に位置する枠体の底面において、折返し部の両端に当接し又は近接する様に、下方向に延びる第１突起部および第２突起部が形成された。その結果、作業者がリード線を引き回す時、第１突起部および第２突起部がガードとなり、リード線は底板のエッジ（端面）に触れる事を防止できる。
【００１４】
請求項５の本発明では、リード線は、溝から遠い位置に配置された線状光源の第１電極に接続される第１リード線と、溝から近い位置に配置された線状光源の第２電極に接続される第２リード線とにより構成され、枠体において、上方に開放した窪み部内に、第１リード線が挿入された。この様に、比較的長い第１リード線は、上方を開放した窪み内に挿入されるので、作業者は組み立て時または修理時に、第１リード線が、他の部品に巻き込まれる事を防止できる。
【発明を実施するための最良の形態】
【００１５】
以下に、本発明を実施するための最良の形態を、実施例および図面を用いて詳細に説明する。しかし、以下に述べた実施例は、本発明の技術思想を具体化するための液晶表示装置を例示するものであり、本発明を、この実施例に特定することを意図するものでない。本発明は、特許請求の範囲に示した技術思想を逸脱することなく、種々の変更を行なったものにも、均しく適用し得るものである。
【実施例】
【００１６】
以下に、図１ないし図８に従い、本発明の実施例に係る液晶表示装置１を説明する。図１は液晶表示装置１の分解斜視図、図２は図１のＡ部詳細図、図３は液晶表示装置１を裏面から見た斜視図、図４は図３のＢ部を拡大して裏面から見た図面である。図５は図４のＣ−Ｃ断面図、図６は図４のＤ−Ｄ断面図、図７は図４のＥ−Ｅ断面図、図８は図４のＦ部を部分的に透視した図面である。
【００１７】
図１に示す様に、液晶表示装置１は、前面枠２と、液晶セル３と、各種シート４，５，６，７と、導光板８と、反射板９と、枠体１０と、ランプセット１１と、底板３５と、左カバー１３と、右カバー１４等からなる。
【００１８】
前面枠２は例えば金属板等からなり、中央部には、開口部が形成されている。周縁部には、下方向に折り曲げられた４つの側面が形成されている。また、周縁部には、４個の座押し部１５ａ，１５ｂ，１５ｃ，１５ｄが形成されている。
【００１９】
座押し部１５ａ〜１５ｄは、上面よりも低い位置に、略水平に形成された部分である。前面枠２に設けられた２個の短辺の側面には各々、２個の孔１６が形成されている。前面枠２に設けられた２個の長辺の側面には各々、６個の孔１６が形成されている。
【００２０】
液晶セル３は、例えば、シール材により貼り合わされた一対のガラス基板に貼り合わされた上偏光板と、下ガラス基板に貼り合わされた下偏光板とを有している（図５と図７を参照）。
【００２１】
下ガラス基板の周縁には、複数の電極が形成されている。複数の配線基板１７は例えばＴＣＰ(Ｔａｐｅ  Ｃａｒｒｉｅｒ  Ｐａｃｋａｇｅ)等からなり、各々がドライバＩＣを実装している。
【００２２】
各配線基板１７の１方の端子は、下ガラス基板の電極に接続されている。各配線基板１７の他方の端子は、回路基板１８の１方の電極に接続されている。
【００２３】
各種シート４，５，６，７は例えば、プリズムシートと拡散シート等からなり、その用途（視野角、輝度など）に応じて、適宜、選択される。
【００２４】
導光板８は、上から見れば長方形状に形成されている。導光板８は横から見れば、右方向（Ｙ１）に行く程、肉厚が厚くなる様に形成されている（図１参照）。反射板９は導光板８の下に配置されている。
【００２５】
枠体１０は例えばプラスチックからなり、略額縁状に形成され、１方の短辺側の縁部２１ａと他方の短辺側の縁部２１ｂをつなぐ様に、連結部１９が形成されている。１方の長辺側には、縁部２１ｃが形成されている。
【００２６】
枠体１０に設けられた額縁状の適所には、所定の高さを有する複数の載置部２０が形成されている（図５参照）。液晶セル３を構成する下ガラス基板は、上記載置部２０上に載置されている（図５参照）。この様にして、枠体１０は液晶セル３を支持している。
【００２７】
反射板９は、枠体１０に形成された縁部２１ａ，２１ｂ，２１ｃの上に載置されている（図１と図５を参照）。反射板９の上には、導光板８が載置されている。導光板８の上に各種シート７，６，５，４が載置されている（図１と図５と図７を参照）。この様にして、枠体１０は導光板８を支持している。また、導光板８は液晶セル３の下方に配置されている。
【００２８】
また、枠体１０の３つの側面には、外側に突出した複数のフック部２２が形成されている。各フック部２２が各孔１６に挿入される事により、前面枠２は枠体１０に固定されている。
【００２９】
図１と、図２と、図３と、図７に示す様に、ランプセット１１は例えば、リフレクタ２３と、ランプホルダ２４ａ，２４ｂと、線状光源２５と、第１リード線２６と、第２リード線２７と、コネクタ２８等から構成されている。なお、第１リード線２６と、第２リード線２７をまとめて、リード線２９と呼ぶ。
【００３０】
リフレクタ２３は例えば、アルミニュウム等からなり、断面が略コ字状に形成され（図７参照）、長尺のものである。リフレクタ２３の両端には、固定部２３ａ，２３ｂ（図示せず）が形成されている。各固定部２３ａ，２３ｂには、各々、２個の孔が形成されている。
【００３１】
ランプホルダ２４ａは例えばゴム等からなり、裏面から見れば（図８参照）、逆Ｌ字状に形成されている。ランプホルダ２４ａは第１部分３０および第２部分３１とから構成されている。
【００３２】
第１部分３０の外形は多角形状に形成され、リフレクタ２３の内面に密着して配置されている。第１部分３０の中央部が凹状に形成され、この凹部に線状光源２５の１端が挿入されている。
【００３３】
線状光源２５は例えば、冷陰極管等からなり、長尺のものである。第２リード線２７の１方の端は、被覆が外されている。溝３４（図５参照）から近い位置に配置された線状光源２５の第２電極（ランプホルダ２４ａを構成する第１部分３０の中に存在するが、図示せず）と、第２リード線２７は半田付け等により接続されている。
【００３４】
ランプホルダ２４ａを構成する第２部分３１は中空に形成され、第２リード線２７は上記中空部を通り、外部に引き出されている（図８を参照）。第２リード線２７の他方の端に第１接続ピンが接続され、第１接続ピンはコネクタ２８に挿入され、固定されている。
【００３５】
同様に、ランプホルダ２４ｂ（図示せず）は例えばゴム等からなり、その外形は多角形状に形成され、リフレクタ２３の内面に密着して配置されている。
【００３６】
ランプホルダ２４ｂは図８において、ランプホルダ２４ａと略対称の形状をしている。ランプホルダ２４ｂの第１部分の中央部は凹状に形成され、この凹部に線状光源２５の他端が挿入されている。
【００３７】
第１リード線２６の１端は被覆が外されている。溝３４から遠い位置に配置された線状光源２５の第１電極（ランプホルダ２４ｂを構成する第１部分の中に存在するが、図示せず）と、第１リード線２６は半田付け等により接続されている。ランプホルダ２４ｂを構成する第２部分（図示せず）は中空に形成され、第１リード線２６は上記中空部を通る。
【００３８】
図１と図７に示す様に、枠体１０の上部において、縦方向（Ｘ１−Ｘ２）に沿って、上方に開放した長尺の窪み部３２が形成されている。
【００３９】
第１リード線２６の中間部分は、この窪み部３２内に挿入されている（図７参照）。この窪み部３２は、側面の凹所（図示せず）につながっている。上記凹所は、枠体１０の底面に形成された凹所３３と、溝３４につながって形成されている（図８参照）。
【００４０】
上記中間部分に続く第１リード線２６は、枠体１０の側面に形成された凹所と、底面に形成された凹所３３および溝３４を通り、外部に引き出されている（図８参照）。
【００４１】
第１リード２６の他方の端に、第２接続ピンが接続され、第２接続ピンはコネクタ２８に挿入され、固定されている。
【００４２】
この様に、線状光源２５は導光板８の側面に沿って配置されている。また、線状光源２５の電極に接続されたリード線２９が設けられている。以上の部品により、ランプセット１１は構成されている。
【００４３】
底板３５は例えば金属板等からなり、側面から見れば（図７参照）、上部３６と、側部３７と、底部３８を有し、略コ字状に形成されている。底板３５は、上から見れば（図１参照）長尺に形成されている。
【００４４】
底板３５に形成された上部３６は、枠体１０の上面の上に位置している。底板３５に形成された側部３７は、リフレクタ２３の側面に当接し又は近接している。底板３５に形成された底部３８は、リフレクタ２３の底面に当接し又は近接している。
【００４５】
底板３５の側部３７には、外向きに突出した４個のフック３９が形成され、フック３９が前面枠２の長辺側の側面に形成された４個の孔１６に挿入される。その結果、底板３５は前面枠２に固定されている。
【００４６】
枠体１０の底面の適所には、孔４０が形成され、底板３５の底部３８の適所には、孔４１が形成されている（図１参照）。底板３５の底部３８は、枠体１０の底面に当接され、ネジ４２は孔４１を通り、孔４０にてネジ止めされている（図８参照）。この様にして、底板３５は、枠体１０の底面を支持している。
【００４７】
上述した様に、図８に示す通り、枠体１０の上部に形成された窪み部３２内に、第１リード線２６の中間部分は挿入されている。この窪み部３２は、枠体１０の側面の凹所（図示せず）につながっている。上記凹所は、枠体１０の底面に形成された凹所３３と、溝３４につながっている。
【００４８】
第１リード線２６は、枠体１０の側面の凹所と、底面に形成された凹所３３と、溝３４を通り、外部に引き出されている。島状部分４３，４４，４５，４６は互いに離れて位置し、その高さは枠体１０の底面の高さと同一である。
【００４９】
第２リード線２７の１方の端は、線状光源２５の第２電極に接続されている。上記１方の端に続く第２リード線２７の中間部分は、ランプホルダ２４ａの第１部分３１に形成された中空部分を通る。
【００５０】
上記中間部分は、島状部分４３，４６に挟まれた凹所３３を通り、島状部分４３，４４に挟まれた凹所３３を通り、溝３４を通り、外部に引き出されている。島状部分４４，４５も適所には、各々、下方向（Ｚ２）に延びる第１突起部４７および第２突起部４８が形成されている。
【００５１】
図４と図５と図６と図８に示す様に、枠体１０に係る、底面４９の近傍において、側面方向（Ｘ１）および下方向（Ｚ２）に、開放した溝３４が形成されている。溝３４は、底面４９に形成された凹所３３につながって、形成されている。
【００５２】
底板３５において、最下部に位置する底部３８が全面的に形成されている（図３と図４と図５と図６と図８を参照）。底板３５において、水平部５０は底部３８に、部分的に形成されている(図４と図５を参照)。即ち、水平部５０は、底部３８の１端（Ｘ２方向）近傍に形成されている。
【００５３】
水平部５０は例えば、座押し加工（ある種の金属加工）により形成されている。即ち、水平部５０は底部３８よりも、高い位置になる様に形成されている（図５参照）。
【００５４】
折返し部５１は例えば、タタキ加工（ある種の金属加工）により形成されている。即ち金属加工の工程において、水平部５０は、端よりも少し長く形成されており、この部分を金型で、たたいて加工する事により、折返し部５１が形成される。
【００５５】
図５に示す様に、外向きに折返されている折返し部５１の底面は、底部３８の底面よりも、高い位置になる様に形成されている。
【００５６】
また、図５では、水平部５０と折返し部５１との間には、隙間があいている。しかし、底部３５において、折返し部５１の上方に位置する水平部５０の内面と、折返し部５１の内面は当接する様に形成される事が望ましい。上記構成は、上述したタタキ加工を行なう事により、実現できる。
【００５７】
図５と図６に示す様に、底板３５に形成された水平部５０の上面は、水平部４９に当接している。底板３５は、溝３４の下方向（Ｚ２）の開放部を閉じる様に、外向きに折返し部５１が形成されている。そして、第１リード線２６および第２リード線２７からなるリード線２９は、折返し部５１上の溝３４の中を通り、外部に引き出されている。
【００５８】
図５と図６に示す様に、溝３４の近傍に位置する枠体１０の底面４９において、下方向（Ｚ２）に延びる第１突起部４７および第２突起部４８が形成されている。第１突起部４７および第２突起部４８は、折返し部５１の両端５２，５３に当接し又は近接して形成される。図６は、近接した場合を示している。
【００５９】
また、第１突起部４７および第２突起部４８の各先端の位置は、底板３５に形成された底部３８の底面と同じ高さが望ましい。
【００６０】
製造作業者または修理作業者は、第１リード線２６および第２リード線２７に接続されたコネクタ２８を、他のコネクタ（図示せず）に接続する。この時、第１リード線２６および第２リード線２７は左右方向（Ｙ１−Ｙ２）に引き回されるが、これらのリード線２６，２７は、第１突起部４７および第２突起部４８に当接する。
【００６１】
その結果、上記引き回し時に、第１リード線２６および第２リード線２７は、第１突起部４７および第２突起部４８の外側に位置する、底板３５の端面５４，５５に当接する事がない。故に、第１リード線２６および第２リード線２７は、引き回し時に、傷が付かない。
【図面の簡単な説明】
【００６２】
【図１】本発明の実施例に係る液晶表示装置１の分解斜視図である。
【図２】図１のＡ部詳細図である。
【図３】液晶表示装置１を裏面から見た斜視図である。
【図４】図３のＢ部を裏面から見た図面である。
【図５】図４のＣ−Ｃ断面図である。
【図６】図４のＤ−Ｄ断面図である。
【図７】図４のＥ−Ｅ断面図である。
【図８】図４のＦ部を部分的に透視した図面である。
【符号の説明】
【００６３】
３  液晶セル
８  導光板
１０  枠体
２５  線状光源
２９  リード線
３４  溝
３５  底板
５１  折返し部
【図１】
2006250987.tif 000003
【図２】
2006250987.tif 000004
【図３】
2006250987.tif 000005
【図４】
2006250987.tif 000006
【図５】
2006250987.tif 000007
【図６】
2006250987.tif 000008
【図７】
2006250987.tif 000009
【図８】
2006250987.tif 000010